(57)【要約】【課題】  より簡単な機構で電子番組予約を行う技術を提供する。【解決手段】  ＴＶ欄１１を撮影するカメラ付き携帯電話１５を用いて、ＴＶ欄１１の撮影を行い、予約情報の入力データとともに、データ処理装置１に送る。これに基づいて、データ処理装置１により、イメージ画像付きの電子番組表を作成するとともに、予約情報に基づいてＴＶ／レコーダ２に関する番組予約を行う。【選択図】  図１
2005347934.tif 000002
【特許請求の範囲】
【請求項１】
番組イメージを取得するイメージ取得部と、
予約希望情報を入力する入力部と、
前記番組イメージと前記予約希望情報とに基づいて電子番組表を作成するデータ処理部とを有する電子番組表作成装置。
【請求項２】
請求項１に記載の電子番組表作成装置に、さらに、前記予約希望番組に関する情報を取得して前記電子番組表に予約希望番組を組み込むことを特徴とする電子番組予約システム。
【請求項３】
番組イメージを取得するイメージ取得部と、
予約希望情報を入力する入力部と、
前記番組イメージと前記予約希望情報を送信する第１通信部とを有する端末装置と、
前記番組イメージと前記予約希望情報とを受信する第２通信部と、
該第２通信部により取得した前記番組イメージと前記予約希望情とに基づいて予約希望番組を含む電子番組表を作成するデータ処理部とを有する電子番組表作成装置と、
前記第２通信部により送られた前記予約希望番組に関する情報を取得して該予約希望番組を記録する記録装置と
を有する電子番組予約システム。
【請求項４】
前記携帯端末は、前記電子番組表を取得し参照するための表示を行う表示部を有することを特徴とする請求項１から３までのいずれか１項に記載の電子番組予約システム。
【請求項５】
前記イメージ取得部は、カメラ機能を含むことを特徴とする請求項１から４までのいずれか１項に記載の電子番組予約システム。
【請求項６】
前記番組イメージは、外部から取得した番組イメージ情報を含むことを特徴とする請求項１から５までのいずれか１項に記載の電子番組予約システム。
【請求項７】
番組イメージを取得するイメージ取得部と、取得した前記番組イメージの予約希望情報を入力する入力部と、前記番組イメージと前記予約希望情報とを関連付けする処理部と、関連付けされた前記番組イメージと前記予約希望情報とを送信する第１通信部とを有する携帯端末。
【請求項８】
番組イメージと予約希望情とを受信する第２通信部と、
該第２通信部により取得した前記番組イメージと前記予約希望情報とに基づいて予約希望番組を含む電子番組表を作成するデータ処理部と
を有する電子番組表作成装置。
【請求項９】
イメージ取得部と入力部と第１通信部とを有する携帯端末と、
前記携帯端末情報とを受信する第２通信部と、該第２通信部により取得した前記番組イメージと前記予約希望情報とに基づいて予約希望番組を含む電子番組表を作成するデータ処理部と、
前記第２通信部により送られた前記予約希望番組に関する情報を取得して該予約希望番組を記録する記録装置と
を有する電子番組予約システム。
【請求項１０】
番組イメージを取得するイメージ取得部と予約希望情報を入力する入力部と前記番組イメージと前記予約希望情報とを送信することができる第１通信部とを有する携帯端末と、
前記番組イメージを番組文字情報に変換するデータ変換装置と、
前記番組文字情報と前記予約希望情報とを受信する第２通信部と、該第２通信部により取得した前記番組文字情報と前記予約希望情報とに基づいて予約希望番組を含む電子番組表を作成するデータ処理部と、
前記第２通信部により送られた前記予約希望番組に関する情報を取得して該予約希望番組を記録する記録装置と
を有する電子番組予約システム。
【請求項１１】
さらに、番組欄レイアウト情報と番組欄用辞書とのうち少なくとも一方を含み前記データ処理部の処理を補助する処理補助部を有することを特徴とする請求項８に記載の電子番組予約システム。
【請求項１２】
番組イメージを取得するイメージ取得部と前記番組イメージを送信することができる第１通信部とを有する携帯端末と、
前記番組イメージを番組文字情報に変換するとともに、前記番組イメージに基づいて番組予約情報を抽出する変換抽出装置と、
前記番組文字情報と前記予約希望情とを受信する第２通信部と、該第２通信部により取得した前記番組文字情報と前記予約希望情とに基づいて予約希望番組を含む電子番組表を作成するデータ処理部と、
前記第２通信部により送られた前記予約希望番組に関する情報を取得して該予約希望番組を記録する記録装置と
を有する電子番組予約システム。
【請求項１３】
前記データ変換装置は、さらに、前記番組イメージから番組付加情報を抽出する番組付加情報抽出部を有することを特徴とする請求項１０から１２までのいずれか１項に記載の電子番組予約システム。
【請求項１４】
番組イメージを取得するイメージ取得部と該番組イメージを送信することができる第１通信部とを有する携帯端末と、
前記番組イメージを受信する第２通信部と、該第２通信部により取得した前記番組イメージに基づいて電子番組表を作成するデータ処理部とを有する電子番組表作成装置と
を有する電子番組表作成システム。
【請求項１５】
請求項１から１４までのいずれか１項に記載の電子番組表を記憶する記憶領域を有する記憶媒体。
【請求項１６】
番組イメージを取得するイメージ取得部と、
番組に関連するレイアウト又は用語の少なくとも一方を含む補助データを有する処理補助部と、
前記番組イメージと補助データとに基づいてＯＣＲ認識処理を行うＯＣＲ認識処理部と、
該ＯＣＲ認識処理部の処理結果に基づいて電子番組表を作成するデータ処理部とを有する電子番組表作成装置。
【請求項１７】
番組イメージを取得するイメージ取得部と、
外部からの番組情報を取得する外部番組情報取得部と、
前記番組イメージと前記外部番組情報とに基づいて電子番組表を作成するデータ処理部とを有する電子番組表作成装置。
【請求項１８】
請求項１６又は１７に記載の電子番組表作成装置において、
前記予約希望番組に関する情報を取得して前記電子番組表に予約希望番組を組み込むことを特徴とする電子番組予約システム。
【発明の詳細な説明】
【技術分野】
【０００１】
本発明は、電子番組予約システム及び電子番組表作成装置に関し、特に、携帯端末を用いて電子的に番組予約を行うシステムと、電子番組表を作成する技術とに関する。
【背景技術】
【０００２】
デジタル放送技術とインターネット網との発展に伴い、例えば、電子番組ガイド（以下、ＥＰＧと省略する）の利用が進んでいる。ＥＰＧは、例えば放送局やインターネットなどから送られてくる番組情報をもとに、放送局別の番組一覧や個々の番組内容、ジャンル別の番組一覧などを表示することができるデジタル放送サービスの一環として知られている。ＥＰＧを用いると、ジャンル別の番組検索ができたり、該情報を用いて視聴予約や家庭用テレビなどへの録画予約を行ったりすることができる。
【０００３】
その他、新聞や雑誌に掲載されている一般的な番組表をイメージスキャナを有するリモコン装置を用いて、新聞の番組欄をスキャンさせてその文字をテレビジョン（以下「テレビ」）の画面上に表示された番組表枠に入力していくことで、番組表をテレビ画面上に作成し、番組選択の補助に用いる技術がある（例えば、特許文献１参照）。
【０００４】
また、新聞や雑誌に掲載されている一般的な番組表のＧコード（登録商標）をＯＣＲリーダで読み取り、これをディスプレイに表示させる技術もある（例えば、特許文献２参照）。
【０００５】
また、文字を読み取るスキャナによりＧコートなどを文字認識し、これに基づいてテレビ映像の再生記憶を制御する技術も開示されている（例えば特許文献３参照）。
【０００６】
【特許文献１】特開平４−３７３２７８号公報
【特許文献２】特開平７−１５３１３９号公報
【特許文献３】特開平１０−５１７２５号公報
【発明の開示】
【発明が解決しようとする課題】
【０００７】
しかしながら、ＥＰＧを用いるためには、例えば、インターネット又はテレビ回線を介してＥＰＧを提供するサービス提供者から情報を取得する必要があり、処理が煩雑である。
【０００８】
また、特許文献１から特許文献３までに記載の技術は、新聞の番組表の内容やＧコードなどをイメージスキャナやＯＣＲリーダにより文字認識し、これを用いて番組予約を行うものである。すなわち、文字読み取りのためのスキャナが必要となる。従って、携帯性に問題があり、移動先などにおいては番組予約を行うことが難しいという問題があった。
【０００９】
本発明の目的は、より簡単な機構で電子番組予約を行う技術を提供することである。
【課題を解決するための手段】
【００１０】
本発明によれば、番組イメージを取得するイメージ取得部と、予約希望情報を入力する入力部と、前記番組イメージと前記予約希望情報とに基づいて電子番組表を作成するデータ処理部とを有する電子番組表作成装置が提供される。また、番組イメージを取得するイメージ取得部と、番組に関連するレイアウト又は用語の少なくとも一方を含む補助データを有する処理補助部と、前記番組イメージと補助データとに基づいてＯＣＲ認識処理を行うＯＣＲ認識処理部と、該ＯＣＲ認識処理部の処理結果に基づいて電子番組表を作成するデータ処理部とを有する電子番組表作成装置が提供される。さらに、番組イメージを取得するイメージ取得部と、外部からの番組情報を取得する外部番組情報取得部と、前記番組イメージと前記外部番組情報とに基づいて電子番組表を作成するデータ処理部とを有する電子番組表作成装置が提供される。
【００１１】
より具体的には、番組イメージを取得するイメージ取得部と予約希望情報を入力する入力部と前記番組イメージと前記予約希望情報とを送信することができる第１通信部とを有する携帯端末と、前記番組イメージと前記予約希望情報とを受信する第２通信部と、該第２通信部により取得した前記番組イメージと前記予約希望情とに基づいて予約希望番組を含む電子番組表を作成するデータ処理部とを有する電子番組表作成装置と、前記第２通信部により送られた前記予約希望番組に関する情報を取得して該予約希望番組を記録する記録装置とを有する電子番組予約システムが提供される。
【００１２】
上記電子番組予約システムによれば、取得した番組イメージと入力した予約希望情報とに基づいて、電子番組表を作成し、番組予約を行うことが出来る。さらに、前記携帯端末は、前記電子番組表を取得して参照するための表示を行う表示部を有することを特徴とする。また、前記番組イメージ取得部は、カメラ機能を含むことを特徴とする。前記番組イメージは、前記第１通信部を介して外部から取得したイメージ情報を含むことを特徴とする。カメラ機能以外の例えば他のサーバなど外部から取得したイメージ情報に基づいて電子番組予約表を作成することも可能となる。
【００１３】
本発明の他の観点によれば、番組イメージを取得するイメージ取得部と取得した前記番組イメージの予約希望情報を入力する入力部と、番組イメージと予約希望情報とを関連付ける処理部と、関連付けされた前記番組イメージと前記予約希望情報とを送信する第１通信部とを有する携帯端末が提供される。また、番組イメージと予約希望情とを受信する第２通信部と、該第２通信部により取得した前記番組イメージと前記予約希望情報とに基づいて予約希望番組を含む電子番組表を作成するデータ処理部とを有する電子番組表作成装置が提供される。それぞれの装置は、番組イメージと予約希望情報を受け取るとデータ処理部により電子番組表を作成する。
【００１４】
本発明の他の観点によれば、番組イメージを取得するイメージ取得部と予約希望情報を入力する入力部と前記番組イメージと前記予約希望情報とを送信することができる第１通信部とを有する携帯端末と、前記番組イメージを番組文字情報に変換するデータ変換装置と、前記番組文字情報と前記予約希望情報とを受信する第２通信部と、該第２通信部により取得した前記番組文字情報と前記予約希望情報とに基づいて予約希望番組を含む電子番組表を作成するデータ処理部と、前記第２通信部により送られた前記予約希望番組に関する情報を取得して該予約希望番組を記録する記録装置とを有する電子番組予約システムが提供される。
【００１５】
上記システムによれば、携帯端末により取得した番組イメージを番組文字情報に変換するため、電子番組表として文字データを主体としたものを作成することができる。このシステムによれば、番組イメージを文字データに変換してから電子番組表を作成するため、データ処理が簡単になる。
【００１６】
さらに、番組欄レイアウト情報と番組欄用辞書とのうち少なくとも一方を含み前記データ処理部の処理を補助する処理補助部を有することを特徴とする。このシステムによれば、番組イメージを文字データに変換する際に、番組に関する時間や用語などの他の情報の認識が容易になる。
【００１７】
本発明のさらに他の観点によれば、番組イメージを取得するイメージ取得部と前記番組イメージを送信することができる第１通信部とを有する携帯端末と、前記番組イメージを番組文字情報に変換するとともに、前記番組イメージに基づいて番組予約情報を抽出する変換抽出装置と、前記番組文字情報と前記予約希望情とを受信する第２通信部と、該第２通信部により取得した前記番組文字情報と前記予約希望情とに基づいて予約希望番組を含む電子番組表を作成するデータ処理部と、前記第２通信部により送られた前記予約希望番組に関する情報を取得して該予約希望番組を記録する記録装置とを有する電子番組予約システムが提供される。
【００１８】
上記システムによれば、番組イメージに基づいて予約希望番組を記録することができる。番組イメージから番組予約情報を抽出するため、別途予約情報を入力する手間が省ける。
【発明の効果】
【００１９】
本発明の電子番組予約システムによれば、いつでも、どこからでも取得した番組イメージに基づいて、電子番組表を作成することができる。さらに入力された番組予約情報と関連付けることにより番組予約を簡便な方法で行うことができるという利点がある。
【発明を実施するための最良の形態】
【００２０】
以下、本発明の第１の実施の形態による電子番組予約技術について、図面を参照しつつ説明を行う。図１（Ａ）は、本実施の形態による電子番組予約システムの構成例を示すブロック図である。図１（Ｂ）は、本実施の形態による電子番組予約システムにおいて作成された電子番組表情報の構成例を示す図である。図２は、本実施の形態による電子番組予約システムに含まれるデータ処理装置の概略構成例を示すブロック図である。図３は、本実施の形態による電子番組予約システムにおいて用いられる携帯電話の機能構成例である。尚、携帯電話に代えて、撮像部と送受信部を有する携帯端末（ＰＤＡ）やデジタルカメラ、ノート型ＰＣ等など、図３に示す機能と同様の機能を有する装置を用いることも可能である。図４は、本発明に好適に用いられる携帯電話の正面図（図４（Ａ））と背面図（図４（Ｂ））である。
【００２１】
図１（Ａ）に示すように、本実施の形態による電子番組予約システムＡは、図２で詳細を説明するデータ処理装置１と、図３、図４に詳細を示す携帯電話１５と、を有している。図２に示すように、データ処理装置１は、送受信部１−１と、ＯＣＲ機能を含むデータ処理部１−２と、記憶部１−３と、表示部１−４と、入力部１−５とを有している。図３及び図４（Ａ），（Ｂ）に示すように、携帯電話１５は、送受信部１５−１と、制御部１５−２と、メモリ１５−３と、撮像部１５−４と、操作入力部（入力ボタン）１５−５と、表示部１５−６とを有している。また、本番組予約システムのデータ処理装置にはテレビ（ＴＶ／レコーダ）２（図１）、ＴＶなどが接続され、さらに、ＶＴＲやＤＶＤ／ＲＷ、ＨＤＤなどのレコーダが内蔵又は外付けされていても良い。
【００２２】
上記番組予約システムを使用した番組予約表作成処理について以下に説明する。まず、携帯電話１５を用い、図４（Ｂ）に示す撮像部（１５−４ａ）を新聞の番組表欄に向けると、図４（Ａ）に示すように、ＬＣＤなどの表示部に破線で示す枠１５−７を表示させることができる。この枠１５−７内に図１の符号１７で示す実際の新聞や雑誌などの番組表のうちから特定の番組（予約対象番組）のイメージを表示させ、実際に撮影ボタンを押すことによりイメージとしての予約対象番組のイメージ画像を撮影し、メモリ１５−３に記憶させる。携帯電話１５の操作キーやボタンから、別途入力した予約情報（例えば、月日、時間、局情報など）とともに、イメージ画像を送受信部１５−１から送信する。番組予約システムのデータ処理装置１の送受信部１−１が前記データを受信すると、予約情報において示される日時により示される番組表上の位置に上記イメージ画像等を取得する事となる。このようにすることにより、番組予約システムを起動させた際に、該情報を表示させる事が可能となり、図１（Ｂ）に示すような電子番組表３１を構築することができる。すなわち、電子番組表３１の枠は、データ処理装置１内の記憶部３に格納する処理により、ユーザが携帯電話から入力した予約情報に対応した日時に関する番組表上の位置にイメージ画像が貼付されることとなるが、このように構築された電子番組表の日時情報と局情報とに基づいて、番組表に示された番組とテレビなどの実際の予約録画・再生機能を有する録画装置における予約録画機能とを関連付けし、実際の予約録画を行う事が可能となる。すなわち、携帯電話から、例えば自宅に設置されている予約録画機能付きのテレビ又はビデオレコーダ２に対して番組予約処理を行うことが可能となる。
【００２３】
さらに、ＴＶ／レコーダ２は、記録済み番組情報を保持することにより、ユーザは携帯電話１５を用いて実際の予約情報や録画済み番組情報を所得することも可能である。また、完成した上記電子番組表は、例えばデータ処理装置内の記憶部に格納され、該記憶部と無線通信を行うことにより携帯電話からも参照することができる。従って、ユーザは、いつでも、どの場所からでも電子番組表を参照し、予約状況を確認するとともに、予約を変更することも可能である。
【００２４】
また、本発明の別の実施形態として、電子番組予約システムと大容量の記憶装置を有するいわゆるホームサーバなどとを関連付けることにより、例えば、家庭内の複数のテレビによる同じ時間帯における異なる番組の録画予約も可能である。
【００２５】
次に、本発明の第２の実施の形態について図面を参照しつつ説明を行う。図５（Ａ）は、本発明の実施の形態による電子番組予約システムの一構成例を示すブロック図である。図１と同様の構成要素には、同一の符号を付してその説明を省略する。本実施の形態による電子番組予約技術は、携帯電話１５が撮影したイメージ画像を文字認識するＯＣＲ機能１８を有している。携帯電話１５に予め、テレビ番組や雑誌名等をアプリケーションとして登録させ、ユーザは番組予約を行う際に、その選択を行うか、若しくはそれら情報を入力する。そして、さらに登録情報と関連づけて、処理補助部１６に例えば、横書き、字体、フィルタ、人名辞典、新聞欄の種類などの番組欄レイアウトデータ１６ａ、番組欄頻出用語辞書１６ｂを与えておく。これらの番組欄レイアウトデータ１６ａ、番組欄頻出用語辞書１６ｂと、テレビ番組や雑誌名等をカメラ付き携帯電話１５により撮影しイメージ読み取りした結果と、を比較することにより、新聞や雑誌の番組欄特有の文字に特化したＯＣＲを行うことができ、イメージ画像をより高精度に文字認識（ＯＣＲ）することが可能となる。即ち、ある程度規定された番組情報より、番組予約に必要な情報を一層認識率を向上させた形にて取得する事ができる。ＯＣＲ処理後の文字データと、携帯電話１５からの入力である予約情報とをデータ処理装置１ａに入力することにより、図５（Ｂ）に示すように、予約対象番組３８を文字データにより構成することができる。携帯電話１５からのイメージ入力に対して上記アプリケーションによる番組欄レイアウトデータ１６ａ、番組欄頻出用語辞書１６ｂを加味することにより、イメージ入力解像度や文字認識率の向上を図ることができる。従って、携帯端末の操作キーやボタンからの別途入力する予約情報（例えば、月日、時間、局情報など）がない場合でも、イメージ取得処理のみにより番組表を作成したり番組予約を行ったりすることが可能となる。
【００２６】
本実施の形態による電子番組予約においては、ＯＣＲ機能を利用して携帯電話のカメラから取得したイメージ画像に基づいて文字データを生成するため、一層ユーザにとってわかりやすい電子番組表を作成することができる。この際、上記の処理補助部の補助を受けることでＯＣＲ認識精度が向上する。尚、認識できなかった文字はユーザが直接文字入力しても良い。また、イメージ画像部分と文字データ部分とを混在させても良い。
【００２７】
次に、本発明の第３の実施の形態による電子番組予約技術について、図面を参照しつつ説明を行う。図１（Ｂ）又は図５（Ｂ）に示す電子番組表は、ユーザにより作成されるものであったが、予約対象の番組だけをイメージ画像入力させて作成する上記実施形態以外に、予め取得された番組表全体から特定番組を選択し予約するシステムとすることも可能である。この方法を用いると、ことができ、わかりやすいオリジナルの電子番組表を作成することが可能になる。たとえば、図６（Ａ）に示すように、本実施の形態によるデータ処理装置１とパソコン２３やテレビなどインターネット接続可能な機器により、インターネット番組情報２１（イメージ情報）から番組情報を予め取得しておき、範囲指定したある範囲内の番組を全て表示させ、図６（Ｂ）に示すＥＰＧ表示による電子番組表３１における時間帯３３と局３５とのマトリクスに基づく番組表を作成する。
【００２８】
次に、ユーザはある日時の予約をしたい対象番組を特定する必要がある。その際に、上記実施形態１に示すように、既存のＥＰＧの一部にイメージ画像を入力し、ユーザがイメージ画像を貼付した番組のみを、録画予約された番組と認識させる事が可能である。図６（Ｂ）に示す電子番組表に示されるそれぞれの番組の内容と日時とは、実際の放送日時、時間と対応させることが好ましい。
【００２９】
尚、データ処理装置やＯＣＲ部、処理補助部などの機能処理部は、携帯端末側に設けても良く、或いは、ＶＴＲやＤＶＤなどの録画装置側又はテレビ側に設けても良い。携帯端末とＴＶ／レコーダ（記録装置）とにメモリスロットを設けておき、記憶媒体に番組イメージ情報と希望番組予約情報とを対応付けして記憶させておけば、メモリスロットの出し入れにより携帯電話により作成した電子番組表を記録装置に記録させることも可能である。
【産業上の利用可能性】
【００３０】
本発明は、文字認識機能を有する携帯電話、文字認識機能を有する録画装置又はテレビ装置などに利用することができる。
【図面の簡単な説明】
【００３１】
【図１】図１（Ａ）は、本発明の第１の実施の形態による電子番組予約システムの一構成例を示す図である。図１（Ｂ）は、上記電子番組予約システムにより作成された電子番組表の構成例を示す図である。
【図２】本発明の第１の実施の形態による電子番組予約システムに含まれるデータ処理装置の一構成例を示す図である。
【図３】本発明の第１の実施の形態による電子番組予約システムに含まれる携帯電話に一構成例を示す図である。
【図４】本発明の第１の実施の形態による電子番組予約システムに含まれる携帯電話に一構成例を示す図であり、図４（Ａ）は正面図、図４（Ｂ）は背面図である。
【図５】図５（Ａ）は、本発明の第２の実施の形態による電子番組予約システムの一構成例を示す図である。図５（Ｂ）は、上記電子番組予約システムにより作成された電子番組表の構成例を示す図である。
【図６】図６（Ａ）は、本発明の第３の実施の形態による電子番組予約システムの一構成例を示す図である。図６（Ｂ）は、上記電子番組予約システムにより作成された電子番組表の構成例を示す図である。
【符号の説明】
【００３２】
１…データ処理装置、１−１…送受信部、１−２…ＯＣＲ機能を含むデータ処理部、１−３…記憶部、１−４…表示部、１−５…入力部、１５…携帯電話、１５−１…送受信部、１５−２…制御部、１５−３…メモリ、１５−４…撮像部、１５−５…操作入力部（入力ボタン）、１５−６…表示部、１５−４ａ…撮像部（レンズ部）、１５−７…枠、３１…電子番組表、３７…予約対象番組。
【図１】
2005347934.tif 000003
【図２】
2005347934.tif 000004
【図３】
2005347934.tif 000005
【図４】
2005347934.tif 000006
【図５】
2005347934.tif 000007
【図６】
2005347934.tif 000008